(57)【要約】【課題】  同一設備で構成された複数のプラントに対し、号機選択の手段を備えることで、オペレータの誤操作の防止を図るプラント監視操作装置を提供することを目的とする。【解決手段】  複数のプラントのうち一のプラントを選択し、このプラントの号機情報を出力する号機選択ボタン５と、複数のプラントのうち一のプラントの監視画面情報を表示する画面表示部１に設けられ、この監視画面情報に応じて入力する操作情報とともに画面表示部１に表示される監視画面情報のプラントの号機情報を出力するタッチパネル２と、号機選択ボタン５からの号機情報がタッチパネル２からの号機情報に一致する場合に、タッチパネル２からの号機情報に応じた号機のプラントに操作指令を出力する号機判定処理部６とを備える。【選択図】        図１
2009163673.tif 000002
【特許請求の範囲】
【請求項１】
複数のプラントのうち一のプラントを選択し、このプラントの号機情報を出力する号機選択手段と、
前記複数のプラントのうち一のプラントの監視画面情報を表示する表示部に設けられ、この監視画面情報に応じて入力する操作情報とともに前記表示部に表示される監視画面情報のプラントの号機情報を出力する操作部と、
前記号機選択手段からの号機情報に基づいて、前記操作部からの号機情報に応じた号機のプラントに前記操作情報を出力する号機処理部とを備えるプラント監視操作装置。
【請求項２】
号機処理部は、号機選択手段からの号機情報が操作部からの号機情報に一致する場合に、前記操作部からの号機情報に応じた号機のプラントに操作情報を出力することを特徴とする請求項１に記載のプラント監視操作装置。
【請求項３】
号機処理部は、号機選択手段からの号機情報に基づいて、プラントの監視画面情報を表示部に表示させ、操作部からの号機情報に応じた号機のプラントに操作情報を出力することを特徴とする請求項１に記載のプラント監視操作装置。
【請求項４】
号機情報が一致しない場合にはエラーメッセージを通知する通知処理部をさらに備えることを特徴とする請求項２に記載のプラント監視操作装置。
【請求項５】
号機選択手段からの号機情報を通知する通知処理部をさらに備えることを特徴とする請求項３に記載のプラント監視操作装置。
【請求項６】
通知処理部は、音声手段により通知することを特徴とする請求項４または請求項５に記載のプラント監視操作装置。
【請求項７】
通知処理部は、表示手段により通知することを特徴とする請求項４または請求項５に記載のプラント監視操作装置。
【発明の詳細な説明】
【技術分野】
【０００１】
本発明は、複数のプラントを監視するプラント監視操作装置に関するものであり、特にタッチパネルによる誤操作を防止するプラント監視操作装置に関するものである。
【背景技術】
【０００２】
近年、プラント監視操作装置は、高性能化により、同一系統、設備で構成された複数のプラントを集中的に監視操作するケースが増えてきている。
【０００３】
例えば、１号プラントと２号プラントがあった場合、これらを構成する機器、系統構成は同一であることが多く、したがってプラント監視操作装置で表示するプラント監視画面や操作する機器も同一となる。
【０００４】
一方、タッチパネルを用いたプラント監視操作装置では、タッチパネルに比較的軽く接触しただけでスイッチが入ることが多いため、誤操作防止の対策が実施されている。
【０００５】
例えば、特許文献１では、表示画面に識別番号を設け、タッチパネル入力時に当該識別番号を付加し、操作指令を生成する時点で表示されている画面の識別番号とタッチパネルからの操作信号に付加されてきた画面識別番号が一致しているかを判定し、一致している場合のみ操作指令を出力することで、誤操作防止を図るプラント監視操作装置が開示されている。
【０００６】
【特許文献１】特開２００４−２５９０３７号公報（０００７〜００１０段、図１）
【発明の開示】
【発明が解決しようとする課題】
【０００７】
しかしながら、複数のプラントを監視操作する場合、従来のプラント監視操作装置では、オペレータは各号機の運転状態に合わせ監視操作を行うことになるが、監視画面や操作機器が同一であるため、操作対象号機を誤って操作するという問題があった。
【０００８】
また、特許文献１のような方法では、表示画面とタッチパネルでの操作時点での画面が一致しているかの判定で誤操作防止を図るものであることから、オペレータが号機を間違って操作した場合の誤操作防止に対しては有効な手段とはならない。
【０００９】
本発明は、上記のような問題を解決するためになされたものであり、上記のように同一設備で構成された複数のプラントに対し、号機選択の手段を備えることで、オペレータの号機選択誤り防止（誤操作防止）を図るプラント監視操作装置を提供することを目的とする。
【課題を解決するための手段】
【００１０】
本発明に係るプラント監視操作装置は、複数のプラントのうち一のプラントを選択し、プラントの号機情報を出力する号機選択手段と、複数のプラントのうち一のプラントの監視画面情報を表示する表示部に設けられ、監視画面情報に応じて入力する操作情報とともに表示部に表示される監視画面情報のプラントの号機情報を出力する操作部と、号機選択手段からの号機情報に基づいて、操作部からの号機情報に応じた号機のプラントに操作情報を出力する号機処理部とを備えるものである。
【発明の効果】
【００１１】
本発明によれば、号機選択手段により選択されるプラントの号機情報に基づいて、操作部からの操作情報に含まれる号機情報に応じた号機のプラントに操作情報を出力することにより、オペレータが操作部で操作しようとする号機の誤りを防止できる。
【発明を実施するための最良の形態】
【００１２】
以下、本発明に係るプラント監視操作装置の各種実施の形態について、図面に基づいて説明する。
実施の形態１．
図１は、本発明の実施の形態１におけるプラント監視操作装置１００の構成を示すブロック図である。
【００１３】
図１において、本実施の形態１のプラント監視操作装置１００は、表示部としての画面表示部１、操作部としてのタッチパネル２、監視画面表示処理部３、タッチ入力処理部４、号機選択手段としての号機選択ボタン５、号機処理部としての号機判定処理部６、１号操作指令出力処理部７、及び２号操作指令出力処理部８から構成されている。
【００１４】
画面表示部１は、各プラントの系統画面、プロセス量などの監視画面情報を表示する。タッチパネル２は、画面表示部１上の画面上に装着された入力部である。監視画面表示処理部３は、１号／２号制御装置９、１０から各々プラント監視信号を受け取り、監視画面情報を画面表示部１に出力する。
【００１５】
タッチ入力処理部４は、タッチパネル２による操作情報及び画面表示部１に表示する監視画面情報の号機を識別するための号機情報を取込み、号機判定処理部６に出力する。号機選択ボタン５は、タッチパネル２とは別に設けられ、操作するプラントの号機を選択する入力部である。
【００１６】
号機判定処理部６は、号機選択ボタン５で入力されている号機情報とタッチパネル２による操作情報に含まれる号機情報とを比較し、号機が一致しているかどうかを判定し、一致していれば号機情報に応じて、１号操作指令出力処理部７あるいは２号操作指令出力処理部８へ操作指令出力を要求する。１号／２号操作指令出力処理部７、８は、号機判定処理部６からの要求に従い、各々１号／２号制御装置９、１０に対して操作指令を出力するものである。
【００１７】
図２は、本実施の形態１のプラント監視操作装置１００における画面表示部１及び号機選択ボタン５の一例を示す模式図である。画面表示部１には、1号機のプラントに関する一系統図が示されている。
【００１８】
次に、図３のフローチャートに従い、本実施の形態１におけるプラント監視操作装置１００の動作について説明する。まず、監視画面情報を表示する画面表示部１上から、タッチパネル２により操作情報が入力されると、タッチ入力処理部６は、画面表示部１に表示する監視画面情報の号機を識別するための号機情報を含む操作情報を号機判定処理部６に出力する（Ｓ２０１）。
【００１９】
続いて、号機選択ボタン５により操作するプラントの号機情報が入力され（Ｓ２０２）、号機判定処理部６は、タッチパネル２からの操作情報に含まれる号機情報と号機選択ボタン５で入力されている号機情報とを比較する（Ｓ２０３）。
【００２０】
一致している場合には、号機情報に応じて１号操作指令出力処理部７または２号操作指令出力処理部８へ操作指令出力を要求する（Ｓ２０４）。一致していない場合には、動作を終了する。
【００２１】
以上のように、本実施の形態１では、号機判定処理部６により、号機選択ボタン５によるプラントの号機情報に基づいて、タッチパネル２からの操作情報に含まれるプラントの号機情報と比較し、号機情報が一致する場合に、号機情報に応じて１号操作指令出力処理部７または２号操作指令出力処理部８へ操作指令出力を要求するようにしたので、オペレータが操作監視画面で操作しようとする号機の誤りを防止できる。
【００２２】
実施の形態２．
実施の形態１のプラント監視操作装置１００においては、号機選択ボタン５とタッチパネル２との号機情報が一致する場合には操作指令を出力し、不一致の場合には出力せずに動作を終了する場合について示した。実施の形態２では、不一致の場合にはさらにエラーメッセージを通知する場合について示す。
【００２３】
図４は、本発明の実施の形態２におけるプラント監視操作装置１０１の構成を示すブロック図であり、図５は、動作を示すフローチャート図である。図４において、本実施の形態２のプラント監視操作装置１０１は、エラーメッセージを通知する通知処理部としての号機不一致通知処理部１１を備える。
【００２４】
図５において、号機判定処理部６は、タッチパネル２からの操作情報に含まれる号機情報と号機選択ボタン５で入力されている号機情報とを比較して（Ｓ５０３）、一致していない場合には、号機不一致通知処理部１１にエラーメッセージを通知させ（Ｓ５０５）、動作を終了する
【００２５】
その他の構成及び動作に関しては、実施の形態１と同様であり、相当部分には図１と同一符号を付して説明を省略する。
【００２６】
以上のように、本実施の形態２では、号機選択ボタン５からの号機情報とタッチパネル２からの号機情報が不一致の場合には、号機不一致通知処理部１１によりエラーメッセージを通知するようにしたので、号機選択誤りによる誤出力を防止できるだけでなく、オペレータに誤出力をすみやかに通知することで操作の効率を向上させることができる。
【００２７】
実施の形態３．
実施の形態１及び実施の形態２のプラント監視操作装置１００、１０１においては、号機選択ボタン５からの号機情報とタッチパネル２からの号機情報を比較する場合について示した。実施の形態３では、号機選択ボタン５により監視画面を切り替える場合について示す。
【００２８】
図６は、本発明の実施の形態３におけるプラント監視操作装置１０２の構成を示すブロック図である。図６において、本発明の実施の形態３におけるプラント監視操作装置１０２は、実施の形態１及び実施の形態２における号機判定処理部６の代わりに、号機処理部として号機選択処理部１２及び操作指令要求処理部１４を備えたものである。
【００２９】
号機選択処理部１２は、号機選択ボタン５の押下により現在選択されているプラントの号機情報を保持する。画面切替処理部１３は、号機選択処理部１２に保持する現在選択されているプラントの号機情報に従い、監視画面表示処理部３への１号／２号制御装置９、１０から各々プラント監視信号を強制的に切り替える。
【００３０】
操作指令要求処理部１４は、タッチパネル２からの操作情報に含まれる号機情報に応じて、１号操作指令出力処理部７あるいは２号操作指令出力処理部８へ操作指令出力を要求する。その他の構成に関しては、実施の形態１と同様であり、相当部分には図１と同一符号を付して説明を省略する。
【００３１】
次に、図７のフローチャートに従い、本実施の形態３におけるプラント監視操作装置１０２の動作について説明する。まず、号機選択ボタン５により操作するプラントの号機情報が入力される（Ｓ７０１）。
【００３２】
号機選択処理部１２は、号機選択ボタン５から入力された号機情報に従い画面切替処理部１３により１号／２号制御装置９、１０からの各々プラント監視信号のうち、号機選択ボタン５からの号機情報に応じて、１号制御装置９または２号制御装置１０からのプラント監視信号に強制的に切り替え（Ｓ７０２）、監視画面表示処理部３により画面表示部１に号機選択ボタン５から入力された号機情報に応じた監視画面情報を表示する。
【００３３】
続いて、号機選択ボタン５から入力された号機情報に応じた監視画面情報に基づいてタッチパネル２から操作情報が入力され（Ｓ７０３）、操作指令要求処理部１４は、タッチ入力処理部４を経由して操作情報とともにプラントの号機情報を受け取る。
【００３４】
操作指令要求処理部１４は、タッチパネル２からの操作情報に含まれる号機情報に応じて、１号操作指令出力処理部７または２号操作指令出力処理部８に操作指令出力を要求する（Ｓ７０４）。操作指令要求処理部１４から操作指令出力の要求を受けた１号操作指令出力処理部７、または２号操作指令出力処理部８は、各々１号／２号制御装置９、１０に対して操作指令を出力する。
【００３５】
以上のように、本実施の形態３では、号機選択ボタン５の押下により選択されたプラントの号機情報に基づいて、号機選択処理部１２により画面表示部１に表示するプラントの監視画面情報を切り替え、操作指令を出力するようにしたので、号機選択ボタンでの選択状態と表示している監視画面情報の号機の不一致をなくすことができ、号機誤りが防止できるとともに操作性が向上する。
【００３６】
実施の形態４．
図８は、本発明の実施の形態４におけるプラント監視操作装置１０３の構成を示すブロック図である。図８において、本実施の形態４のプラント監視操作装置１０３は、実施の形態３のプラント監視操作装置１０２に、表示手段での通知処理部として、号機選択ランプ表示処理部１５を備えたものである。
【００３７】
号機選択ランプ表示処理部１５は、号機選択ボタン５の押下により現在選択されているプラントの号機を、例えばプラント操作室の監視盤などの表示ランプヘ出力する。これは、プラントの操作監視を行う操作室には、一般には複数のオペレータがいることから、他のオペレータヘ操作しようとしている号機を通知するものである。
【００３８】
その他の構成及び動作に関しては、実施の形態３と同様であり、相当部分には図６と同一符号を付して説明を省略する。
【００３９】
以上のように、本実施の形態４では、号機選択ボタン５の押下により選択されたプラントの号機情報に基づいて、号機選択処理部１２により画面表示部１に表示するプラントの監視画面情報を切り替えるだけでなく、号機選択ランプ表示処理部１５により、号機情報を監視盤などの表示ランプヘ出力するようにしたので、号機選択ボタンでの選択状態と表示している監視画面情報の号機の不一致をなくすとともに、操作しているプラントの号機情報の共有化を図ることで操作を行うオペレータ自身の号機選択誤りを周囲にいる他のオペレータにすみやかに通知でき、誤出力の防止を図ることができる。
【００４０】
なお、本実施の形態４では、号機選択ボタン５の押下により選択されたプラントの号機情報を表示ランプヘ出力するようにしたが、これに限るものではない。例えば、図９は、号機選択ランプ表示処理部１５の代わりに、音声手段での通知処理部として、号機選択音声通報処理部１６を備えたものである。号機選択音声通報処理部１６は、号機選択ボタン５が押下された号機情報を音声で通知する。これにより、同様の効果を得ることができる。
【００４１】
以上、本実施の形態ではいずれもプラントが２つの場合を示したが、これに限るものではない。プラントが３つ以上であっても、各々の制御装置に対応する操作指令出力処理部を設けることにより、同様の効果を得ることができる。
【図面の簡単な説明】
【００４２】
【図１】本発明に係るプラント監視操作装置の実施の形態１の構成を示すブロック図である。
【図２】本発明に係るプラント監視操作装置の実施の形態１における画面表示部及び号機選択ボタンの一例を示す模式図である。
【図３】本発明に係るプラント監視操作装置の実施の形態１の動作を示すフローチャート図である。
【図４】本発明に係るプラント監視操作装置の実施の形態２の構成を示すブロック図である。
【図５】本発明に係るプラント監視操作装置の実施の形態２の動作を示すフローチャート図である。
【図６】本発明に係るプラント監視操作装置の実施の形態３の構成を示すブロック図である。
【図７】本発明に係るプラント監視操作装置の実施の形態３の動作を示すフローチャート図である。
【図８】本発明に係るプラント監視操作装置の実施の形態４の構成を示すブロック図である。
【図９】本発明に係るプラント監視操作装置の実施の形態４の別の構成を示すブロック図である。
【符号の説明】
【００４３】
１  画面表示部
２  タッチパネル
５  号機選択ボタン
６  号機判定処理部
１１  号機不一致通知処理部
１２  号機選択処理部
１４  操作指令要求処理部
１５  号機選択ランプ表示処理部
１６  号機選択音声通報処理部
【図１】
2009163673.tif 000003
【図２】
2009163673.tif 000004
【図３】
2009163673.tif 000005
【図４】
2009163673.tif 000006
【図５】
2009163673.tif 000007
【図６】
2009163673.tif 000008
【図７】
2009163673.tif 000009
【図８】
2009163673.tif 000010
【図９】
2009163673.tif 000011